(57)【要約】【課題】データ通信を行なっていない期間には省電力モードとすることにより電力消費を抑えることができる送信装置、送信方法および送受信システムを提供する。【解決手段】消費電力を少なくする省電力モードを有し、所定の無線通信規格に基づきデータを受信装置に対して送信する通信部と、省電力モードへの移行を要求する省電力要求と、省電力モードの解除を要求する省電力モード解除要求とを前記通信部に供給する送信処理部とを備える送信装置である。【選択図】図１
2013187734.tif 000002
【特許請求の範囲】
【請求項１】
消費電力を少なくする省電力モードを有し、所定の無線通信規格に基づきデータを受信装置に対して送信する通信部と、
前記省電力モードへの移行を要求する省電力要求と、前記省電力モードの解除を要求する省電力モード解除要求とを前記通信部に供給する送信処理部と
を備える送信装置。
【請求項２】
前記送信処理部は、送信する前記データがない期間において前記通信部が前記省電力モードになるように前記省電力要求を供給する
請求項１に記載の送信装置。
【請求項３】
前記通信部はさらに、前記送信処理部から供給された前記省電力要求と、前記省電力解除要求とを前記受信装置に対して送信する
請求項１に記載の送信装置。
【請求項４】
前記送信処理部は、上位送信処理部と下位送信処理部とからなり、
前記上位送信処理部は前記データと前記省電力要求と前記省電力解除要求とを前記下位送信処理部に供給し、該下位送信処理部は、取得した前記データと前記省電力要求と前記省電力解除要求とを所定の順序で前記通信部に供給する
請求項１に記載の送信装置。
【請求項５】
前記データはオーディオデータである
請求項１に記載の送信装置。
【請求項６】
前記所定の無線通信規格は、Bluetooth規格である
請求項１に記載の送信装置。
【請求項７】
消費電力を少なくする省電力モードを有し、所定の無線通信規格に基づきデータを受信装置に対して送信する通信部に対して、前記省電力モードへの移行を要求する省電力要求と、前記省電力モードの解除を要求する省電力モード解除要求とを供給する
送信方法。
【請求項８】
データを送信する送信装置と、該送信装置から送信されたデータを受信する受信装置とからなり、
前記送信装置は、
消費電力を少なくする省電力モードを有し、所定の無線通信規格に基づきデータを受信装置に対して送信する第１の通信部と、
前記省電力モードへの移行を要求する省電力要求と、前記省電力モードの解除を要求する省電力モード解除要求を前記通信部に供給する送信処理部と
を備え、
前記受信装置は、
消費電力を少なくする省電力モードを有し、所定の無線通信規格に基づき前記送信装置の第１の通信部から送信されたデータを受信する第２の通信部
を備える
送受信システム。
【発明の詳細な説明】
【技術分野】
【０００１】
本技術は、送信装置、送信方法および送受信システムに関する。
【背景技術】
【０００２】
現在、電子機器同士を接続して通信を行うために無線通信技術が用いられている。無線通信技術としては例えばBluetooth（登録商標）がある。無線通信技術においては、電力消費を抑えるために種々の提案がなされている（特許文献１）。
【先行技術文献】
【特許文献】
【０００３】
【特許文献１】特開２００３−８７１８５号公報
【発明の概要】
【発明が解決しようとする課題】
【０００４】
特許文献１に記載の技術は、リアルタイム転送の特徴をいかし、周期的に省電力コントロールを行うことにより平均消費電力を低減するものである。しかし、無線通信においては、データ通信を行なっていない状態であっても通信装置全体が動作状態のままであるために不必要に電力を消費してしまう場合がある。
【０００５】
本技術は、このような点に鑑みてなされたものであり、データ通信を行なっていない期間には省電力モードとすることにより電力消費を抑えることができる送信装置、送信方法および送受信システムを提供することを目的とする。
【課題を解決するための手段】
【０００６】
上述した課題を解決するために、第１の技術は、消費電力を少なくする省電力モードを有し、所定の無線通信規格に基づきデータを受信装置に対して送信する通信部と、省電力モードへの移行を要求する省電力要求と、省電力モードの解除を要求する省電力モード解除要求とを前記通信部に供給する送信処理部とを備える送信装置である。
である。
【０００７】
また、第２の技術は、消費電力を少なくする省電力モードを有し、所定の無線通信規格に基づきデータを受信装置に対して送信する通信部に対して、省電力モードへの移行を要求する省電力要求と、省電力モードの解除を要求する省電力モード解除要求とを供給する
送信方法である。
【０００８】
さらに、第３の技術は、データを送信する送信装置と、送信装置から送信されたデータを受信する受信装置とからなり、送信装置は、消費電力を少なくする省電力モードを有し、所定の無線通信規格に基づきデータを受信装置に対して送信する第１の通信部と、省電力モードへの移行を要求する省電力要求と、省電力モードの解除を要求する省電力モード解除要求を前記通信部に供給する送信処理部とを備え、受信装置は、消費電力を少なくする省電力モードを有し、所定の無線通信規格に基づき送信装置の第１の通信部から送信されたデータを受信する第２の通信部を備える送受信システムである。
【発明の効果】
【０００９】
本技術によれば、データの送受信を行う装置における消費電力を抑えることができる。
【図面の簡単な説明】
【００１０】
【図１】図１は、本技術の係る送信装置と受信装置とからなる送受信システムの構成を示すブロック図である。
【図２】図２は、送信装置において行われる処理の流れを示すフローチャートである。
【図３】図３は、従来技術において、送信装置から受信装置に送信されるデータを説明するための図である。
【図４】図４は、本技術において、送信装置から受信装置に送信されるデータを説明するための図である。
【発明を実施するための形態】
【００１１】
以下、本技術の実施の形態について図面を参照しながら説明する。ただし、本技術は以下の実施の形態のみに限定されるものではない。なお、説明は以下の順序で行う。
＜１．実施の形態＞
［１−１．送受信システムの構成］
［１−２．送信装置の構成］
［１−３．受信装置の構成］
［１−４．送受信システムにおいて行われる処理］
＜２．変形例＞
【００１２】
＜１．実施の形態＞
［１−１．送信装置の構成］
図１は本技術に係る送受信システム１０の構成を示すブロック図である。送受信システム１０は、データの送信を行う送信装置１００と、送信装置１００から送信されたデータを受信する受信装置２００とから構成されている。本実施の形態において送受信システム１０は、Bluetooth方式による無線通信を行うシステムであるものとする。送信装置１００から受信装置２００に対して、オーディオデータなどのコンテンツデータが送信される。
【００１３】
送信装置１００としては例えば、携帯型オーディオプレーヤ、スマートフォン、携帯電話機、タブレット端末などが挙げられる。受信装置２００としては、ヘッドホン、イヤホン、スピーカなどが挙げられる。例えば、送信装置１００から音楽などの音声データが受信装置２００に送信され、受信装置２００側でその音楽データが音声として再生される。
【００１４】
［１−２．送信装置の構成］
次に、送受信システム１０を構成する送信装置１００について説明する。送信装置１００は、オーディオソース１１０、制御部１２０、Bluetooth下位処理部１３０、通信部１４０とから構成されている。また、制御部１２０は、オーディオデータ処理部１２１、タイマー１２３、Bluetooth上位処理部１２２として機能する。
【００１５】
オーディオソース１１０は、コンテンツであるオーディオデータを制御部１２０からの要求に応じて供給するものである。オーディオソース１１０としては、オーディオデータを記憶保持するＨＤＤ（Hard Disc Drive）、ＵＳＢ（Universal Serial Bus）メモリなどの記憶媒体、オーディオデータを保存したディスク媒体を再生するディスク媒体モジュールなどがある。さらに、オーディオデータは、動画コンテンツの音声、ラジオ、インターネットラジオ、インターネットにおける動画共有サイトの音声などでもよい。
【００１６】
制御部１２０からの要求に応じて、オーディオソース１１０から制御部１２０に対してオーディオデータを構成するオーディオフレームが供給される。オーディオフレームとは、デジタルオーディオデータの最小単位であり、オーディオデータ全体はフレームが連なった構造となっている。
【００１７】
制御部１２０は、例えば、ＣＰＵ（Central Processing Unit）、ＲＡＭ（Random Access Memory）およびＲＯＭ（Read Only Memory）などから構成されている。ＲＯＭには、ＣＰＵにより読み込まれて動作されるプログラムなどが記憶されている。ＲＡＭは、ＣＰＵのワークメモリとして用いられる。ＣＰＵは、ＲＯＭに記憶されたプログラムに従い様々な処理を実行することによって、オーディオデータ処理部１２１、Bluetooth上位処理部１２２、タイマー１２３として機能すると共に、送信装置１００の各部および全体の制御を行う。
【００１８】
制御部１２０は、送信装置１００に対して楽曲などのオーディオデータの再生指示がなされると、オーディオソース１１０に対してオーディオフレームを要求する。そして、オーディオソース１１０から制御部１２０に対してオーディオフレームが供給される。
【００１９】
オーディオデータ処理部１２１は、オーディオソース１１０から供給されたオーディオフレームのビットレートなどからオーディオフレームの再生時間を算出する。一つのオーディオフレームの再生時間は例えば、下記の式１で算出することができる。
【００２０】
［式１］
オーディオフレームの再生時間＝ビットレート×サンプリングレート
【００２１】
この式１により算出されるオーディオフレームの再生時間に一回の転送分のオーディオフレーム数をかけることにより、送信装置１００から受信装置２００への一回の転送による音声の再生時間を算出することができる。
【００２２】
Bluetooth上位処理部１２２は、受信装置２００に送信するオーディオフレームを送信用のデータにするために所定の処理を施す。また、Bluetooth下位処理部１３０に対して、オーディオフレームと、通信部１４０に低消費電力モードへの移行を要求するデータ（以下、省電力要求と称する。）と、低消費電力モードを解除する要求するデータ（以下、省電力解除要求と称する。）を供給する。
【００２３】
タイマー１２３は、オーディオデータの再生時間の計測を行うものである。Bluetooth上位処理部１２２から省電力要求が供給された後、タイマー１２３は再生時間の計測を開始し、再生時間が経過したと判定された場合にその旨をBluetooth上位処理部１２２に通知する。そうすると、Bluetooth上位処理部１２２からBluetooth下位処理部１３０に対して省電力解除要求が供給される。
【００２４】
Bluetooth下位処理部１３０は、Bluetooth上位処理部１２２から送信されたオーディオフレーム、省電力要求および省電力解除要求などを受信し、それらを所定の順序で通信部１４０に供給する。
【００２５】
通信部１４０は、例えばＲＦ（Radio Frequency）ユニットなどの、受信装置２００の通信部２１０との間で所定の無線通信規格に基づいて無線通信を行うものである。本実施の形態ではBluetooth規格に基づいた通信を行うものとする。通信部１４０は、送信するオーディオフレーム、省電力要求および省電力解除要求などをＲＦ信号に変換してアンテナ（図示せず。）から送信し、また、アンテナから入力されたＲＦ信号を受信信号に変換したりするものである。
【００２６】
また、通信部１４０は例えば、回路、ＩＣ（Integrated Circuit）などの通信部１４０の構成要素の内、必要最低限の構成要素のみをアクティブ状態として、それ以外の構成要素を非アクティブ状態とすることにより消費電力量を抑える省電力モードを備えている。通信部１４０は、送信装置１００から送信される省電力要求および省電力解除要求に応じて、省電力モードへの移行と省電力モード解除を行う。
【００２７】
［１−３．受信装置の構成］
次に、送受信システム１０を構成する受信装置２００について説明する。受信装置２００は通信部２１０、制御部２２０、音声出力部２３０とから構成されている。通信部２１０は、例えばＲＦブロックなどの、送信装置１００の通信部１４０との間で所定の無線通信規格に基づいて無線通信を行いうものである。通信部２１０は送信装置１００から送信されたオーディオフレーム、省電力要求および省電力解除要求などを受信する。通信部１４０は、受信したオーディオフレームを制御部２２０に供給する。
【００２８】
通信部２１０は送信装置１００の通信部１４０と同様に、自らの消費電力量を抑える省電力モードを備えている。通信部２１０は、送信装置１００から送信される省電力要求および省電力解除要求に応じて、省電力モードへの移行と省電力モード解除を行う。
【００２９】
制御部２２０は例えば、ＣＰＵ、ＲＡＭおよびＲＯＭなどから構成されている。ＣＰＵは、ＲＯＭに記憶されたプログラムに従い様々な処理を実行することによって、デコーダ２２１として機能すると共に、受信装置２００の各部および全体の制御を行う。
【００３０】
デコーダ２２１は、通信部２１０から供給されたオーディオデータにデコード処理を施して音声信号として音声出力部２３０に供給する。
【００３１】
音声出力部２３０は、デコーダ２２１から供給された音声信号を音声として出力するものである。音声出力部２３０はヘッドホン、イヤホン、スピーカなどにおいて音声を出力するドライバユニットなどである。
【００３２】
以上のようにして、送信装置１００と受信装置２００とからなる送受信システム１０が構成されている。
【００３３】
［１−４．送受信システムにおいて行われる処理］
次に送受信システム１０において行われる処理について説明する。図２は送受信システム１０を構成する送信装置１００の制御部１２０において行われる処理の流れを示すフローチャートである。
【００３４】
まずステップＳ１で、制御部１２０は、オーディオソース１１０から、オーディオデータを構成するオーディオフレームを取得する。次にステップＳ２で、オーディオデータ処理部１２１は、取得した一回の転送分のオーディオフレームの再生時間を算出する。再生時間は、上述したように式１と一回の転送におけるオーディオフレーム数に基づいて算出することができる。
【００３５】
次にステップＳ３で、制御部１２０のBluetooth上位処理部１２２からBluetooth下位処理部１３０に対してオーディオフレームが供給される。さらにステップＳ４で、制御部１２０のBluetooth上位処理部１２２からBluetooth下位処理部１３０に対して省電力要求が送信される。次にステップＳ５でタイマー１２３は再生時間の計測を開始する。なお、ステップＳ３、ステップＳ４およびステップＳ５は、ほぼ同時に行われる。そして、タイマー１２３により再生時間が経過したと判定されるまで、ステップＳ６により再生時間が経過したか否かが判定される（ステップＳ６のＮｏ）。
【００３６】
ステップＳ６において再生時間が経過したと判定された場合、処理はステップＳ７に進む（ステップＳ６のＹｅｓ）。そしてステップＳ７で、Bluetooth上位処理部１２２からBluetooth下位処理部１３０に対して省電力解除要求が供給される。このように、タイマーで再生時間を測定して省電力解除要求を供給するのは送信装置１０側の通信部１４０の省電力モード解除のタイミングを測るためである。
【００３７】
オーディオフレームの再生時間が経過すると、次のオーディオフレームの送信を行う必要があるので、省電力解除要求を出すことによりＲＦブロックの省電力モードを解除しオーディオフレームの送信を可能にする。
【００３８】
次にステップＳ８で、次のオーディオフレームがあるか否かが判定され、次のオーディオフレームがない場合には処理は終了となる（ステップＳ８のＮｏ）。なお、次のオーディオフレームがない場合とは、例えば、再生しているオーディオデータが楽曲である場合には、その楽曲が終了し、次に再生される曲がない場合などである。
【００３９】
一方、ステップＳ８で次のオーディオフレームがあると判定された場合、処理はステップＳ１に進む（ステップＳ８のＹｅｓ）。そしてステップＳ１で、制御部１２０によってオーディオソース１１０から次のオーディオフレームが取得される。その後、ステップＳ８でオーディオフレームが無いと判定されるまでステップＳ１乃至ステップＳ８の処理が繰り返される。
【００４０】
次に図３および図４を参照して、送信装置１００と受信装置２００間におけるデータの送受信について説明する。
【００４１】
図３および図４は、BluetoothのプロファイルであるＡ２ＤＰ（Advanced Audio Distribution Profile）を用いてオーディオデータの送信が行われる場合を示すものである。図３は、従来のBluetooth通信における送信装置１００から受信装置２００へのオーディオフレームの送信について説明するための図である。制御部１２０から送信されたオーディオフレームはBluetooth下位処理部１３０により一度蓄積され、図３に示される順序に並べられ、通信部１４０によって受信装置２００に送信される。なお、Ａ２ＤＰとは、無線通信技術を用いて高品質なオーディオデータを伝送するためのプロファイルである。
【００４２】
オーディオデータのビットレートが約２８９ｋｂｐｓ（Bits Per Second）であるものとする。ビットレートが約２８９ｋｂｐｓのオーディオデータとは、Bluetoothで使われるＣＯＤＥＣはＳＢＣ（Sub Band CODEC）であり、ビットプール値は４６である。図３および図４は、Ａ２ＤＰでＳＢＣbitpool value＝４６（約２８９ｋｂｐｓ）のデータを送信した場合を例としたものである。
【００４３】
Bluetoothシステムは約１７ｍｓの間に５または６のＳＢＣオーディオフレームを送信することで約２８９ｋｐｂｓの帯域を確保している。
【００４４】
ただし、このオーディオフレームの送信間隔はBluetooth機器のアプリケーションが決定することであり、「約１７ｍｓの間に５または６」という条件は必須の条件ではなく、また、規格上の規定でもない。図３および図４を参照して行う以下の説明は、１７ｍｓの間に５または６のＳＢＣオーディオフレームを転送する場合を想定して行う。
【００４５】
５または６個のＳＢＣオーディオフレームを送信する場合、ＤＭ５形式のパケットを約１７msの間に３つ使用する。なお、ＤＭ５とは、Bluetooth通信において送受信されるパケットであり、２から２２６情報バイトで、１６ビットＣＲＣを持つものである。ＤＭパケットには、ＡＣＬ（Asynchronous Connection Oriented）リンクで使用されものであり、一度に送信する情報量に応じてＤＭ１、ＤＭ３、ＤＭ５などの種類が存在する。
【００４６】
図３に示されるように、約１７ｍｓの間に２７個のスロットが存在する。１スロットは６２５μsである。ＤＭ５パケットの送信には５つのスロットを必要とする。ＳＢＣオーディオフレームを送信する場合、ＤＭ５形式のパケットを約１７msの間に３つ使用するため、使用されるスロット数は１５（＝３×５）となる。
【００４７】
約１７ｍｓの間に２７個のスロットが存在するため、１６個目から２７個目までの計１２個（＝２７−１５）のスロットはオーディオの転送には使用されない。したがって、この使用されていない１２個のスロットに対応する期間通信部１４０を省電力モードにすれば消費電力を削減することができる。
【００４８】
Bluetoothは、ＴＤＤ（Time-Division Duplex）方式を使用しているため、送受信するデータがない場合であってもＲＦユニットなどの通信部は起動している。よって、送受信するデータがない場合には通信部を非活性状態にすることにより、通信部における消費電力を抑えことができる。
【００４９】
図４は、本技術を利用したBluetooth通信において送信装置１００から受信装置２００に対するオーディオフレーム、省電力要求、省電力解除要求の送信について説明するための図である。ビットレートなどの諸条件は図３に示されるものと同様である。
【００５０】
制御部１２０から送信されたオーディオフレーム、省電力要求、省電力解除要求はBluetooth下位処理部１３０により図４に示される順序に並べられ、通信部１４０、通信部２１０を介して受信装置２００に送信される。
【００５１】
上述のように、１６個目から２７個目までの計１２個のスロットはオーディオの転送には使用されない。そこで、オーディオフレーム送信後の使用されていない１２個のスロットのうちに一つ目のスロットである１３番目のスロットを用いて省電力要求を送信する。なお、省電力要求を送信した１３番目のスロットの次のスロットである１４番目のスロットは、受信装置２００側で受信処理が行われるために空けておく必要がある。
【００５２】
そして、省電力要求に従い、通信部１４０は自らを電力消費を抑えた省電力モードに切り替える。これにより、１５番目のスロット以降の期間における通信部１４０の電力消費が抑えられる。
【００５３】
そして、次のオーディオフレームの転送を行うために通信部１４０の省電力モードを解除する必要がある。そのために、後ろから２つ目の２６番目のスロットにおいて省電力解除要求を送信する。なお、省電力解除要求を送信した２６番目のスロットの次のスロットである２７番目のスロットは、受信装置２００側で受信処理が行われるために空けておく必要がある。
【００５４】
省電力解除要求を受けた通信部１４０は、省電力モードを解除することにより、省電力モードから通常モードに自らを切り替える。これにより、通信部１４０は次のオーディオフレームを受信することができる。
【００５５】
２７個あるスロットのうち、１５個がオーディオフレームの転送に用いられ、２個が省電力要求に用いられ、さらに２個が省電力解除要求に用いられる。よって、２７個のスロットのうち８個のスロットに対応する期間、通信部１４０を省電力モードにすることができる。これにより、約３０％（８スロット／２７スロット）通信部１４０における電力消費を抑えることができる。
【００５６】
また、受信装置２００の通信部２１０も送信装置１００の通信部１４０と同様に電力消費が少ない省電力モードを備えている。よって、送信装置１００の通信部１４０から受信装置２００の通信部２１０へのオーディオフレームの送信に加え、省電力要求と省電力解除要求を送信することにより、受信装置２００の通信部２１０は自らを省電力モードとする。これにより、受信装置２００の通信部２１０においても、送信装置１００の通信部１４０と同様に電力消費と抑えることができる。したがって、送受信システム１０を構成する送信装置１００と受信装置２００の双方で消費電力を抑えることができる。
【００５７】
＜６．変形例＞
以上、本技術の一実施の形態について具体的に説明したが、本技術は、上述の実施形態に限定されるものではなく、本技術の技術的思想に基づく各種の変形が可能である。例えば、Bluetooth通信以外であっても、通信部が省電力モードを備えていれば、どのような通信方式であっても本技術を適用することができる。
【００５８】
なお、本技術は以下のような構成も取ることができる。
【００５９】
（１）消費電力を少なくする省電力モードを有し、所定の無線通信規格に基づきデータを受信装置に対して送信する通信部と、
前記省電力モードへの移行を要求する省電力要求と、前記省電力モードの解除を要求する省電力モード解除要求とを前記通信部に供給する送信処理部と
を備える送信装置。
【００６０】
（２）前記送信処理部は、送信する前記データがない期間において前記通信部が前記省電力モードになるように前記省電力要求を供給する
前記（１）に記載の送信装置。
【００６１】
（３）前記通信部はさらに、前記送信処理部から供給された前記省電力要求と、前記省電力解除要求とを前記受信装置に対して送信する
前記（１）または（２）に記載の送信装置。
【００６２】
（４）前記送信処理部は、上位送信処理部と下位送信処理部とからなり、
前記上位送信処理部は前記データと前記省電力要求と前記省電力解除要求とを前記下位送信処理部に供給し、該下位送信処理部は、取得した前記データと前記省電力要求と前記省電力解除要求とを所定の順序で前記通信部に供給する
前記（１）から（３）のいずれかに記載の送信装置。
【００６３】
（５）前記データはオーディオデータである
前記（１）から（４）のいずれかに記載の送信装置。
【００６４】
（６）前記所定の無線通信規格は、Bluetooth規格である
前記（１）から（５）のいずれかに記載の送信装置。
【００６５】
（７）消費電力を少なくする省電力モードを有し、所定の無線通信規格に基づきデータを受信装置に対して送信する通信部に対して、前記省電力モードへの移行を要求する省電力要求と、前記省電力モードの解除を要求する省電力モード解除要求とを供給する
送信方法。
【００６６】
（８）データを送信する送信装置と、該送信装置から送信されたデータを受信する受信装置とからなり、
前記送信装置は、
消費電力を少なくする省電力モードを有し、所定の無線通信規格に基づきデータを受信装置に対して送信する第１の通信部と、
前記省電力モードへの移行を要求する省電力要求と、前記省電力モードの解除を要求する省電力モード解除要求を前記通信部に供給する送信処理部と
を備え
前記受信装置は、
消費電力を少なくする省電力モードを有し、所定の無線通信規格に基づき前記送信装置の第１の通信部から送信されたデータを受信する第２の通信部
を備える
送受信システム。
【符号の説明】
【００６７】
１０・・・・送受信システム
１００・・・送信装置
２００・・・受信装置
１４０・・・通信部
２１０・・・通信部
１２２・・・Bluetooth上位処理部
１３０・・・Bluetooth下位処理部
１２３・・・タイマー
【図１】
2013187734.tif 000003
【図２】
2013187734.tif 000004
【図３】
2013187734.tif 000005
【図４】
2013187734.tif 000006